(57)【特許請求の範囲】
【請求項１】
心臓の僧帽弁輪の幾何学的配置に影響を与える治療器具であって、
第１の伸展可能なアンカーと、第２の伸展可能なアンカーと、前記第１の伸展可能なアンカーと第２の伸展可能なアンカーとを結合させる連結部材とを含み、前記第１のアンカーと第２のアンカーとの間の前記連結部材の長さは一定であり、
前記第１の伸展可能なアンカーは冠状静脈洞内に繋止されるように形作られており、前記第２の伸展可能なアンカーは僧帽弁輪に隣接した位置に配備されるように形作られており、それによって、前記第１の伸展可能なアンカーは冠状静脈洞内に配置され、前記第２の伸展可能なアンカーは、前記第１のアンカーの近位側に配備されるようになされた治療器具。
【請求項２】
前記第１のアンカーが冠状静脈洞と側動脈との間に配置されている分かれ目の近位側に繋止される請求項１に記載の治療器具。
【請求項３】
前記近位側のアンカーが冠状静脈洞の小孔の遠位側に配置される請求項２に記載の治療器具。
【請求項４】
前記連結部材が弓形の形状を有している請求項３に記載の治療器具。
【請求項５】
前記連結部材に適用される引っ張り力が僧帽弁輪の幾何学的配置に影響を与える請求項４に記載の治療器具。
【請求項６】
前記引っ張り力が前記第２のアンカーに力をかけることによって適用される請求項５に記載の治療器具。
【請求項７】
前記第２のアンカーに解除可能に結合された引っ張り力適用部材を更に含んでいる請求項６に記載の治療器具。
【請求項８】
僧帽弁輪の幾何学的配置の随伴する変化に影響を与えるために、所望のレベルの引っ張り力が適用される請求項６に記載の治療器具。
【請求項９】
僧帽弁の幾何学的配置に所望の変化を達成した後に、前記引っ張り力適用部材が前記第２のアンカーから外される請求項７に記載の治療器具。
【請求項１０】
僧帽弁輪の幾何学的配置の所望の変化が監視される請求項８に記載の治療器具。
【請求項１１】
前記僧帽弁輪の幾何学的配置の所望の変化が、患者の僧帽弁逆流の変化によって指示される請求項８に記載の治療器具。
【請求項１２】
僧帽弁輪の幾何学的配置の変化が僧帽弁逆流を減らす請求項８に記載の治療器具。
【請求項１３】
前記連結部材が非外傷性であるような構造とされている請求項１に記載の治療器具。
【請求項１４】
カバーを更に含んでいる請求項８に記載の治療器具。
【請求項１５】
前記第１のアンカー、前記第２のアンカー及び前記連結部材が一体化されている請求項１に記載の治療器具。
【請求項１６】
前記固定の長さを有する連結部材がスプリングを含んでいる請求項１に記載の治療器具。
【発明の詳細な説明】
【技術分野】
【０００１】
本発明は、一般的には、心臓の拡張性心筋症治療用の治療器具および方法に関する。本
発明は、より具体的には、僧帽弁輪を再形成するための治療器具および方法に関する。
【背景技術】
【０００２】
ヒトの心臓は一般には４個の弁を含む。これらの弁のうち、最も重要なものは僧帽弁と
して知られている。僧帽弁は、左心房と左心室との間の左心房心室開口部に位置する。僧
帽弁は、左心室が収縮するときに、左心室から左心房への血液の逆流を阻止するためのも
のである。血液の逆流を阻止するために、僧帽弁は、左心室が収縮する際のかなりの背圧
に耐えることができなければならない。
【０００３】
僧帽弁の尖は、該尖を左心室収縮の間支持するために、精巧だが強靱な索によって心臓
の筋肉壁に固定されている。健康な僧帽弁では、僧帽弁の形態が、左心室収縮の際の血液
の逆流が起こらないように尖が互いに重なることを保証する。
【０００４】
逆流を阻止する僧帽弁の正常な機能は、疾患か、ある種の生まれつきの欠陥かにより発
生する拡張性心筋症によって障害されることがある。例えば、ある種の疾患は、僧帽弁輪
の拡張を起こすことがある。これは、僧帽弁の形態の変形につながり、左心室収縮の際に
僧帽弁の非効果的な閉鎖を引き起こす。かかる非効果的な閉鎖は、僧帽弁を通じる漏れと
逆流とにつながる。心臓の細菌性炎症または心不全のような疾患が、上記の僧帽弁輪の歪
みまたは拡張を引き起こすことがある。言うまでもなく、僧帽弁閉鎖不全は、治療しない
で済ませるわけにはいかない。
【０００５】
機能障害を有する僧帽弁を修復する１つの方法は、前記弁を完全に交換することである
。この方法は、尖の１つが著しく損傷し、あるいは、変形したときに僧帽弁を交換するの
に特に適していることがわかった。弁全体の交換は、拡張した僧帽弁輪に伴う直接的な問
題を除去するが、現在入手可能な心臓の人工弁には天然の心臓の弁と同じ耐久性はない。
【０００６】
さまざまな他の外科的手順が、僧帽弁輪の変形を矯正し、無傷で自然な心臓の弁の機能
を保持するために開発されてきた。これらの外科的技術は、拡張または変形した弁輪の形
状を修復することを伴う。一般に弁輪形成術として知られるかかる技術は、拡張を最小限
にするために、前記弁輪を外科的に拘束する必要がある。ここで、弁輪を再形成し、僧帽
弁の開閉の際に弁の動きを拘束するために、プロテーゼが弁の葉状部のほぼ基部に縫合さ
れるのが典型的である。
【０００７】
多くの異なるタイプのプロテーゼが、かかる外科手術用に開発されてきた。一般に、プ
ロテーゼは、弁輪の基部の周りに適合する、環状または部分的に環状の形をした部材であ
る。前記環状または部分的に環状の形をした部材は、金属のような剛直な材料か、あるい
は、可撓性の材料かでできている場合がある。
【０００８】
上記の従来技術の方法は、僧帽弁閉鎖不全の治療にある程度成功したが、課題と、望ま
しくない結果に終わる可能性とがないわけではなかった。例えば、これらの手順は心臓を
切開する手術を要する。このような手順は、高額の費用がかかり、かなりの回復時間を要
する非常に侵襲的なものであり、かかる手順に伴う付随的な死のリスクがある。さらに、
かかる心臓切開の手順は、この疾患を含む（ｃｏｍｐｒｉｓｅｄ）心臓病患者に特に負担
が大きい。これらの因子を考慮して、かかる手順は、最後の手段としてとっておかれるこ
とがしばしばあり、そのため、僧帽弁閉鎖不全の病状進行の後期に適用される。さらに、
かかる手順の有効性は、術中に評価することは困難で、術後かなり後までわからない場合
もある。そのため、最適な効果を得るためにプロテーゼを調整し、あるいは、プロテーゼ
を変化させる能力は非常に制約される。後からの矯正は、行われるとしても、新たな心臓
切開手術を要する。
【０００９】
心臓切開手術をしないで僧帽弁閉鎖不全を治療するための改良された治療法が最近提案
された。これは、心臓の冠状静脈洞が、僧帽弁輪の近傍にあるか、少なくとも部分的には僧帽弁輪を取り囲んでいて、大心静脈を含む静脈系に伸びることの認識によって可能になった。ここで用いられる「冠状静脈洞」という用語は、前記冠状静脈洞そのものを指すだけではなく、これに加えて、前記大心静脈を含む冠状静脈洞と関連する静脈系をも指す。前記治療法は、僧帽弁輪の形状を再形成して有利な効果を与えるために冠状静脈洞の中に導入される治療器具を使用するものである。
【００１０】
前記治療器具は、心臓の冠状静脈洞中に受け入れられる断面寸法と、前記冠状静脈洞中に配置されるとき応力がかからない弓状の形状を有する長手方向寸法とを有する、弾性部材を含む。前記治療器具は、僧帽弁を部分的に取り囲み、前記僧帽弁に内向きの圧力を加える。前記内向きの圧力が、僧帽弁の形態を実質的に回復させるために、僧帽弁輪か、あるいは僧帽弁輪の少なくとも一部かを圧迫する。この手順は、有効な弁の閉鎖作用を促進し、僧帽弁の閉鎖不全を除去する。
【００１１】
前記治療器具は、ペースメーカーのリード線のような心臓のリード線を埋め込むために
用いられる技術に類似する経皮的技術だけを用いて冠状静脈洞中に埋め込まれる場合がある。前記治療器具を埋め込むために提案された１つのシステムは、前記治療器具と着脱可能に連結するように形作られた細長いイントロデューサを含む。前記イントロデューサは、
前記治療器具を心臓の中の冠状静脈洞口を通って冠状静脈洞中に移動させることができるように可撓性であることが好ましい。誘導を促進するために、細長いシース（ｓｈｅａｔｈ）が冠状静脈洞の中に最初に進入させられる。それから、前記治療器具とイントロデューサとは、該治療器具が冠状静脈洞の中に配置されるまで、前記シースの内腔を通って移動させられる。前記治療器具は、弾性材料でできているため、前記シースを通って前進する際に前記内腔の湾曲に適合する。そして、前記シースは、前記治療器具が応力のかからない弓形の形状をとることができるように部分的に抜き出される。いったん前記治療器具が適当に配置されると、前記イントロデューサは前記治療器具から脱離して、前記シースに格納される。その後、前記シースの取り出しにより手順は完了する。結果として、前記治療器具は冠状静脈洞の中に留置され、僧帽弁の形態を回復するために僧帽弁に内向きの圧力を加える。
【００１２】
上記の治療法は、従来の心臓切開外科手術のアプローチより多くの利点がある。前記治
療器具、システムおよび方法は比較的非侵襲的な手順に用いられるため、僧帽弁閉鎖不全
は、前記治療器具、システムおよび方法で僧帽弁閉鎖不全の病状進行の初期に治療するこ
とができる。前記治療器具は、いかなる非侵襲的な心臓専門医によっても比較的容易に設
置できる。心臓は前記手順の間中完全に無傷のままに保たれるため、前記手順の有効性は
容易に決定することができる。調整が望ましいと思われる場合には、かかる調整は患者が
回復室に送られる前に実行される。
【００１３】
冠状静脈洞内の治療器具で僧帽弁逆流を治療する別のアプローチは、僧帽弁輪のはっきり区別できる（ｄｉｓｃｒｅｔｅ）部分に対して局部的な力を加えることが僧帽弁の逆流を止めることができるという観察に基づく。これは、僧帽弁の拡張は局部的で不均一な場合があることを示唆する。したがって、前記治療器具は、僧帽弁輪の全体的な再形成のかわりに局部的な僧帽弁輪の再形成をもたらすために、冠状静脈洞の心房壁の１または２以上のはっきり区別できる部分に力を加える。かかる局部的な治療法は、全体的な治療法の利点の全てを有する。さらに、局部的な治療具は、埋め込みおよび調整がより簡単な場合がある。
【発明の開示】
【発明が解決しようとする課題】
【００１４】
本発明は、心臓の僧帽弁輪の幾何学的配置（ｇｅｏｍｅｔｒｙ）に効果がある治療器具
を提供する。前記治療器具は、心臓内部の僧帽弁輪に隣接する心臓の冠状静脈洞の中に配置および固定されるように形作られた、第１のアンカーと、第１のアンカーに固定され、第１のアンカーから心臓内に近位側の向きに伸びるケーブルと、第１のアンカーより近位側の心臓内に配置および固定されるように形作られて、前記ケーブルを摺動可能に受け入れるように配列された、第２のアンカーと、第２のアンカー上で前記ケーブルを固定するロックとを含む。第１および第２のアンカーが心臓内で固定されるとき、前記ケーブルは近位側の向きに引かれ、該ケーブルが第２のアンカー上にロックされる。このようにして、
僧帽弁の幾何学的配置に影響を与える。このアプローチは、第２のアンカーが、冠状静脈洞内に配置および固定されても、あるいは、右心房内に配置および固定されてもかまわないという柔軟性を提供する。このアプローチは、さらに、埋め込み後にケーブルの張力を調整することを可能にする。本発明は、僧帽弁輪に隣接する冠状静脈洞内に配置された治療器具を用いて僧帽弁逆流を治療する、さらに別の代替策を提供する。
【課題を解決するための手段】
【００１５】
発明の概要
本発明は、心臓内の僧帽弁輪の幾何学的配置に効果がある治療器具を提供する。前記治
療器具は、僧帽弁輪に隣接する心臓の冠状静脈洞内に配置および繋止されるための第１のアンカーと、第１のアンカーより近位側で心臓内の僧帽弁輪に隣接して配置されるように形作られた第２のアンカーとを含む。前記治療器具は、さらに、一定長さを有し、第１および第２のアンカーに恒久的に取り付けられた連結部材を含む。その結果、第１および第２のアンカーが心臓内にあって、第１のアンカーが冠状静脈洞内に繋止されると、第２のアンカーは近位側に変位して僧帽弁輪の幾何学的配置に作用し、僧帽弁の幾何学的配置への効果を維持するために脱離される場合がある。第２のアンカーは、配設されたときに、遠位側への移動をしないように繋止されるように形作られるが、近位側への移動は可能で、第２のアンカーが冠状静脈洞内で近位側に変位することを可能にする。
【００１６】
第１および第２のアンカーは、冠状静脈洞内での脱離の際に自動的に配設（ｓｅｌｆ−ｄｅｐｌｏｙｉｎｇ）されることが好ましいが、配置（ｐｌａｃｅｍｅｎｔ）後に配設されてもかまわない。さらに、一定長さの前記連結部材は、最大に伸張した長さを有し、それゆえに剛直な部材の場合や、弓形の初期形状を有する場合や、最大長さを有するか、可撓性であるが伸張性（ｓｔｒｅｔｃｈａｂｌｅ）ではないスプリングを含む場合がある。
【００１７】
本発明は、心臓の僧帽弁輪の幾何学的配置に影響を与える治療器具を提供する。前記治
療器具は、僧帽弁輪に隣接する心臓の冠状静脈洞内に繋止されるための第１のアンカー手段と、第１のアンカー手段の近位側で僧帽弁輪に隣接する心臓内に配設される第２のアンカー手段と、一定長さを有し、第１のアンカー手段を第２のアンカー手段に恒久的に連結手段とを含む。その結果、第１および第２のアンカー手段が心臓内にあって第１のアンカー手段が冠状静脈洞内に繋止されているとき、第２のアンカー手段は、第１のアンカー手段および前記連結手段と協動して僧帽弁輪の幾何学的配置に効果があるように近位側に変位する場合と、僧帽弁の幾何学的配置への効果を維持するために脱離される場合とがある。
【００１８】
本発明は、さらに、心臓の僧帽弁輪の幾何学的配置に影響を与えるシステムを提供する
。前記システムは、心臓内の僧帽弁輪に隣接する冠状静脈洞に配置され繋止されるように形作られた第１のアンカーと、第１のアンカーの遠位側で僧帽弁輪に隣接する心臓内に配置されるように形作られた第２のアンカーと、第１および第２のアンカーに恒久的に取り付けられた一定長さを有する連結部材とを含む、僧帽弁治療器具を含む。
【００１９】
前記システムは、遠位端と近位端と前記治療器具を受け入れる内腔とを有するカテーテ
ルと、第２のアンカーに着脱可能に連結され、前記内腔内を通って前記カテーテルの近位
端から外に伸びるテザー（ｔｅｔｈｅｒ）をさらに含み、該カテーテルは僧帽弁輪に隣接
する冠状静脈洞内に案内でき、前記治療器具の第１および第２のアンカーを僧帽弁輪に隣接する冠状静脈洞内に配設される。その結果、第１のアンカーが冠状静脈洞内のカテーテルによって配設されるとき、第２のアンカーが前記テザー上を近位側に引くことにより近位側の向きに変位して僧帽弁輪の幾何学的配置に影響を与え、その後、脱離されて、僧帽弁の幾何学的配置への効果を維持するために配設される。
【００２０】
本発明は、心臓内の僧帽弁輪の幾何学的配置に影響を与える方法を提供する。前記方法
は、第１のアンカーを僧帽弁輪に隣接する冠状静脈洞内に固定するステップと、第２のアンカーを僧帽弁輪に隣接し第１のアンカーの近位側にある冠状静脈洞内に配置するステップと、一定長さの連結部材を第１および第２のアンカーの間に固定するステップと、第２のアンカーを近位側の向きに遠位させて僧帽弁輪の幾何学的配置に影響をを与えるステップと、第２のアンカーをさらに近位側の向きの変位から脱離させて、僧帽弁の幾何学的配置への効果を維持するステップとを含む。
【００２１】
本発明は、心臓の僧帽弁輪の幾何学的配置に影響を与える治療器具をさらに提供する。
前記治療器具は、心臓内の僧帽弁輪に隣接する冠状静脈洞に配置繋止されるように形作られた第１のアンカーと、第１のアンカーより近位側で僧帽弁輪に隣接する心臓内に配置されるように形作られた第２のアンカーと、第１および第２のアンカーの間に取り付けられた連結部材とを含む。第１および第２のアンカーのうち少なくとも１つは、第１の向きへの動きに抗して繋止されるが、第１の向きの反対向きの第２の向きに動くことができる。
【００２２】
前記少なくとも１つのアンカーが第１のアンカーであって、第１の向きが近位側の向き
で第２の向きが遠位側の向きであってもかまわない。前記少なくとも１つのアンカーが第
２のアンカーであって、第１の向きが遠位側の向きで第２の向きが近位側の向きであって
もかまわない。好ましい実施態様では、第１のアンカーは近位側の向きへの動きに抗して
繋止され、遠位側の向きに動くことができ、第２のアンカーは遠位側の向きへの動きに抗
して繋止され、近位側の向きに動くことができる。
【００２３】
本発明は、心臓の僧帽弁輪の幾何学的配置に影響を与え、心臓のリード線を左心に埋め
込むことを可能にする治療器具をさらに提供する。前記治療器具は、心臓内で僧帽弁輪に
隣接する冠状静脈洞内に配置および繋止されるように形作られた第１のアンカーと、第１のアンカーより近位側で僧帽弁輪に隣接する心臓内に配置されるように形作られた第２のアンカーと、第１および第２のアンカーの間に取り付けられた連結部材とを含む。第１のアンカーは、心臓のリード線が第１のアンカーの横を通ることができるように、冠状静脈洞の全てを占めることがないように形作られている。
【００２４】
第１のアンカーは、前記心臓のリード線が貫通するループを含む場合がある。第２のア
ンカーは、冠状静脈洞内に配置可能で、心臓のリード線が第２のアンカーの横を通ることができるように、冠状静脈洞の全てを占めることがないように形作られている。第２のアンカーも、心臓のリード線が貫通するループを含む場合がある。
【発明を実施するための最良の形態】
【００２５】
図１を参照して、図１は、本発明をより良く理解するために、心臓１０の僧帽弁１２、
冠状静脈洞１４、冠状動脈１５および回旋枝１７を露出するべく心房を除去した、ヒトの心臓１０の上面図である。図１に一般的に示されるのは、心臓１０の肺動脈弁２２、大動脈弁２４および三尖弁２６である。
【００２６】
僧帽弁１２は、前尖１６、後尖１８および僧帽弁輪２０を含む。前記輪は、尖１６およ
び１８を取り囲み、左心室収縮の間、完全な閉鎖を提供するために、これらの間隔を保持
する。周知のとおり、冠状静脈洞１４は、僧帽弁輪２０に隣接する僧帽弁１２を部分的に取り囲む。同じく周知のとおり、冠状静脈洞は心臓の静脈系の一部であり、左心房と左心室の間の房室間溝（ＡＶ  ｇｒｏｏｖｅ）に沿って伸びる。これは、冠状静脈洞を実質的に僧帽弁輪と同じ平面上に配置し、本発明の僧帽弁治療具を内部に配置するために冠状静脈洞が利用できるようにする。
【実施例１】
【００２７】
図２は、本発明の実施態様の僧帽弁治療具３０を示す。図２からわかるとおり、治療具
３０は、第１のアンカー３２と、連結部材３４と、第２のアンカー３６とを含む。アンカ
ー３２および３６と、連結部材３４とは、一体構造（ｉｎｔｅｇｒａｌ  ｓｔｒｕｃｔｕ
ｒｅ）を提供するため、同一の材料でできている場合がある。
【００２８】
第１のアンカー３２は、治療器具３０の遠位端に位置する。第１のアンカー３２は、冠
状静脈１４内で脱離されるとき、自動的に配設可能であるように、鉤状（ｈｏｏｋ−ｓｈ
ａｐｅｄ）をしている。より具体的には、治療器具３０は、ステンレス鋼か、形状記憶性
を有することが当業者に周知であるタイプのニッケル／チタン合金であるニチノール（Ｎ
ｉｔｉｎｏｌ）か、プラスチックかのようなたいていの生体適合性の材料のいずれかでで
きている場合がある。アンカー３２の鉤状の形状は、脱離されるとき、アンカー３２を少
なくとも近位側の向きへの動きに抗して繋止または固定するために、冠状静脈洞１４の内壁に食い込むように伸展する。しかし、アンカー３２は遠位側の向きへの動きを許す場合がある。アンカー３２は、冠状静脈洞１４と回旋枝１７との交差点１９よりほんの少し近位側に配置されることが好ましい。
【００２９】
連結部材３４は、ニチノールでできていることにより、比較的剛直で、僧帽弁輪２０の
輪郭にほぼ対応する弓状の形状を有するように前処理される。連結部材３４は、一定長さ
で、第１および第２のアンカー３２および３６に恒久的に取り付けられている。ここで、
第２のアンカーは冠状静脈洞１４の冠状静脈洞口２１のほんの少し遠位側の冠状静脈洞内に配置される点が特記される。第２のアンカー３６は、同様の鉤状の形状を有し、自動的に配設されるために自動的に伸展することが好ましい。アンカー３６の鉤状部分は、アンカー３６を遠位側の向きへの動きに抗して繋止または固定するが、該アンカーが近位側の向きに引かれることを許す。これは、アンカー３２および３６が最初に配設された後で治療器具３０を調整することを可能にするため、治療器具３０の特に意義深い局面である。
【００３０】
図２に示されるとおり治療器具３０が配設されるとき、第１のアンカー３２は冠状静脈洞１４内で近位側の向きへの動きに抗して固定される。そして連結部材３４は、第１のアンカー３２から第２のアンカー３６まで近位側の向きに伸びる。第２のアンカー３６は、第１のアンカー３２より近位側の冠状静脈洞１４内の望ましい位置に配置され、遠位側の向きへの動きに抗して繋止されるように自動的に伸展することが許される。それから、第１のアンカー３２が固定された位置に保持される間に第２のアンカー３６は近位側の向きに引かれる。これが、連結部材３４に張力を生じさせて、僧帽弁輪２０の幾何学的配置に影響を与える。いったん望ましい量の張力が連結部材３４に加えられると、第２のアンカー３６はさらなる動きから脱離され、遠位側の向きへの動きに抗して再配設される。連結部材３４が一定の張力の下にあるので、有利な効果を生じる僧帽弁輪２０の幾何学的配置が保存される。前記ケーブル中の張力は、ドプラー・エコーのような僧帽弁逆流を表すパラメーターを監視しながら第２のアンカー３６を引くことにより調整することが好ましい。
【００３１】
連結部材３４は外被（ｃｏｖｅｒｉｎｇ）とともに提供される場合がある（図示されな
い）。前記外被は、冠状静脈洞１４の内壁に抗して加えられる前記連結部材の力を和らげるうえで役立つ、圧縮可能な材料でできているのが好ましい場合がある。
【００３２】
図３から図５までは、治療器具３０が配設アッセンブリ５０によって配設されるやり方
を示す。図３に示すとおり、配設アッセンブリ５０は、カテーテル５２と、テザー５４と
を含む。カテーテル５２は、配設前の状態で摺動可能に治療器具３０を受け入れるための
寸法を持つ内腔５６を有し、テザー５４は第２のアンカー３６の周りにループを作ってカ
テーテル５２の近位端から外に伸びる。
【００３３】
図３に示すとおり、第１のアンカー３２は、第２のアンカーがカテーテルの内腔５６の
中に留まっている間に配設される。これは、カテーテル５２を第１のアンカーが望ましい
位置に達するまで冠状静脈洞内に挿入するのと同時に起こる。カテーテル５２は、第１のアンカー３２を動きに抗して保持しながら近位側の向きに動かされる場合がある。カテーテル５２の近位側の向きへの動きがアンカー３２を脱離する。前記アンカーが脱離するとき、自動的に配設するために自動的に伸展して、近位側の向きへの動きに抗して固定される。
【００３４】
図４に示すとおり、カテーテル５２は、さらに後退して、第２のアンカー３６が自動的
に伸展して自動的に配設されることを可能にする。第２のアンカー３６は遠位側の向きへ
の動きに抗して固定されるが、近位側の向きへ動くことは許される。テザー５４はカテー
テル５２の近位端の外へ伸びつづける。
【００３５】
図５にさらに示されるとおり、このとき張力は、テザー５４上を近位側の向きに引くこ
とによって連結部材３４に、そして第２のアンカー３６に加えられるが、一方で第１のア
ンカー３２は近位側の向きへの動きに抵抗する。望ましい張力が連結部材３４上に加えら
れるとき、第２のアンカー３６は脱離して再度自動的に配設される。これが完了するとき
、第１のアンカー３２および第２のアンカー３６は連結部材３４の張力で配置および固定
される。その後、カテーテル５２およびテザー５４は、配設の工程を完了するために除去
される場合がある。近位側のアンカー３６は最終的に冠状静脈洞内に配設されることが示されるが、近位側のアンカー３６は、近位側の向きに変位された後、冠状静脈洞１４の冠状静脈口２１よりほんの少し近位側の右心房内に最終的に配設される場合がある。したがって、遠位側のアンカー３２より近位側で心臓内にある近位側のアンカー３２のいかなる最終的な配置も本発明によって意図されている。
【実施例２】
【００３６】
本発明によると、治療器具３０は上記とは少し異なるやり方で配設される場合がある。
ここで、第１のアンカー３２は上記のとおり配設され、第２のアンカー３６は、近位側の
向きに動く間、カテーテル５２の中に入ったままの場合がある。第２のアンカー３６が望
ましい位置に到達すると、カテーテル５２は、脱離して第２のアンカー３６を配設するた
めに、後に引かれる場合がある。その結果、この代替的な実施態様では、配設されるとき
には第２のアンカーは遠位側の向きおよび近位側の向きの両方の動きに抗して繋止される
場合がある。
【００３７】
図６は、本発明の実施態様である別の僧帽弁治療器具７０を示す。治療器具７０は、連
結部材７４がスプリング状構造体７５を含むことを除いて、上記の治療器具３０と類似す
る。スプリング７５は最大長さを有し、僧帽弁輪２０に加えられた張力をより強制的に維
持するために役立つ。この目的のため、治療器具７０は、第１のアンカー７２と、連結部
材７４と、第２のアンカー７６とを含む。
【００３８】
第１および第２のアンカー７２および７６は、これらが脱離するとき、自動的に伸展し
て冠状静脈洞１４の内壁にくい込むように形作られる。また、第１のアンカーは近位側の向きへの動きに抵抗し、第２のアンカー７６は遠位側の向きへの動きに抵抗する。他のすべての点では、治療器具７０は、治療器具３０と同じであり、同じやり方で配設される場合がある。
【００３９】
埋め込み式心臓刺激装置は当業者には周知である。かかる装置は、例えば、埋め込み式
心臓ペースメーカおよび除細動器（ｄｅｆｉｂｒｉｌｌａｔｏｒ）を含む場合がある。前
記装置は、一般に、患者の胸部の皮下ポケット（ｓｕｂｃｕｔａｎｅｏｕｓ  ｐｏｃｋｅ
ｔ）として知られる領域に埋め込まれる。前記埋め込み式装置は、心臓内に埋め込まれる
リード線が接続された１または２以上の電極と協動して機能することが一般的である。前
記電極は、それぞれの心房・心室と電気的な接触をするために、右心内部、すなわち、右
心室または右心房のいずれかまたは両方の内部に配置されるのが通常である。前記リード
線内の導体と、該リード線に運ばれる近位のコネクタとが前記電極を前記装置に接続して
、該装置が心臓の電気活動を感知して所望の治療用送達を行う（ｄｅｌｉｖｅｒ  ｔｈｅ
ｄｅｓｉｒｅｄ  ｔｈｅｒａｐｙ）ことを可能にする。
【００４０】
伝統的に、治療用送達（ｔｈｅｒａｐｙ  ｄｅｌｉｖｅｒｙ）は静脈または右心に限ら
れてきた。この理由は、埋め込まれた電極が一部の患者に凝血塊形成を起こすことがあり
、凝血塊が動脈を通って左心、例えば、左心室から放出された場合には、直接脳を通過し
て、麻痺性または致死性の卒中を起こす可能性があるからである。しかし、右心、例えば
、右心室から放出された凝血塊は、肺に入るが、肺のろ過作用のために、脳の致死性また
は衰弱性の塞栓症は起こらない。
【００４１】
最近、左心に心拍管理治療送達を行うための新規のリード線構造および方法が提案され
、実施されてきた。これらのリード線構造および方法は、リード線を心臓の冠状静脈洞内に埋め込むことによって、左心房および左心室内に直接電極を設置することを避ける。上記のとおり、「冠状静脈洞」という語は、冠状静脈洞自体だけでなく、これに加えて、大静脈を含む、冠状静脈洞と協動する静脈系をも指す。
【００４２】
心臓の冠状静脈洞領域に設置された電極は、左心房のぺーシング（ｐａｃｉｎｇ）か、左心室のぺーシングか、カルジオバージョン（ｃａｒｄｉｏｖｅｒｓｉｏｎ）および除細動（ｄｅｆｉｂｒｉｌｌａｔｉｏｎ）かに用いられる場合がある。これらの進歩は、埋め込み式心臓刺激装置が、左心ぺーシング単独か、あるいは、右心ぺーシングとの組み合わせ（両側心房・心室ぺーシング、ｂｉ−ｃｈａｍｂｅｒ  ｐａｃｉｎｇ）および／または除細動との組み合わせの恩恵に与る左心室不全および／またはうっ血性心不全の患者集団の需要に応えることを可能にする。
【００４３】
本発明の器具は心臓の冠状静脈洞内に埋め込むことができるものではあるが、本発明のさらなる局面により、心臓のリード線は、上記のとおりの機能を奏するために冠状静脈洞を通過することができるように形作られている。そのため、図７の最もよく示されるとおり、治療器具３０のアンカー３２および３６は、冠状静脈洞１４の内部空間のほんの少しの部分を占めるのであって、内部空間の全てを占めるのではない。これは、心臓のリード線８０が左心に埋め込まれるために冠状静脈洞１４内を前進することを可能にする。
【００４４】
より具体的には、アンカー３２および３６は、前記器具上で逆向きに曲がって、自動的
に配設するために上記の鉤状になるループ３３および３５の形状をとる。したがって、ル
ープ３３および３５は、心臓のリード線８０が左心に埋め込まれるために貫通することを
可能にする。これは、僧帽弁逆流の患者の多くは左心心拍管理療法の候補でもある場合が
あるため、特に望ましい。
【００４５】
本発明の具体的な実施態様が例示説明されたが、改変される場合はあるので、添付する
請求の範囲では、該請求の範囲によって定義される本発明の趣旨および範囲内に該当する
全てのかかる変更および改変を含むものとする。
【００４６】
新規であると信ずる本発明の特徴は具体的に添付する請求の範囲に列挙する。本発明は
、そのさらなる局面および利点とともに、上記の説明と添付する図面とを併用参照するこ
とにより最もよく理解できる場合がある。以下の複数の図面では類似の符号は同一の構成
要素を指す。
【００４７】
本発明の具体的な実施態様が示されて説明されたが、改変が行われる場合があり、添付
した特許請求の範囲では、請求項に記載された発明の趣旨および範囲の範囲内に該当する
全てのかかる変更および改変を含むものとする。
【図面の簡単な説明】
【００４８】
【図１】心房を除去したヒトの心臓の上面図。
【００４９】
【図２】本発明の実施態様の配設された僧帽弁治療器具を示す、ヒトの心臓の上面図。
【００５０】
【図３】図２に示す本発明の実施態様の僧帽弁治療器具を配設する最初のステップを示す、ヒトの心臓の上面図。
【００５１】
【図４】図２に示す治療器具を配設する中間のステップを示す、ヒトの心臓の上面図。
【００５２】
【図５】図２に示す治療器具を配設する最後のステップを示す、ヒトの心臓の上面図。
【００５３】
【図６】本発明の別の実施態様の配設された僧帽弁治療器具を示す、ヒトの心臓の上面図。
【００５４】
【図７】治療器具のアンカーの細部と、該アンカーの横を埋め込み式リード線が通ることができるやり方とを示す、部分分解側面図。
【符号の説明】
【００５５】
１０    心臓
１２    僧帽弁
１３    右心室
１４    冠状静脈洞
２０    僧帽弁輪
２３    右心房
２５    右心房の内壁
３０、７０    僧帽弁治療器具
３２、７２    第１のアンカー
３４、７４    連結部材
３６、７６    第２のアンカー
５０    配設アッセンブリ
５２    カテーテル
５４    テザー
５６    内腔
７５    スプリング状構造体
８０    心臓のリード線
【図１】
0004359660.tif 000002
【図２】
0004359660.tif 000003
【図３】
0004359660.tif 000004
【図４】
0004359660.tif 000005
【図５】
0004359660.tif 000006
【図６】
0004359660.tif 000007
【図７】
0004359660.tif 000008